(57)【要約】【課題】長時間に渡る遊技による遊技者への肉体的疲労を低減させるとともに、遊技場における不正行為を未然に防止し、機種変更の手間及びコストの低減をも図ることのできる回動式遊技機を提供する。【解決手段】図柄を表示する回胴２と、該回胴を回転させる回胴回転装置３と、前記回胴の回転を停止させる停止ボタン４と、メダル投入口５と、メダル払出機６と、回胴制御基板７と、払出制御基板８とを少なくとも構成の主要部として備え、前記回胴回転装置３と前記停止ボタン４とを備えた操作パネル部９が、水平面状となるように設けた。【選択図】　　　　　図１
2004065896.tif 000002
【特許請求の範囲】
【請求項１】
図柄を表示する回胴と、該回胴を回転させる回胴回転装置と、前記回胴の回転を停止させる停止ボタンと、メダル投入口と、メダル払出機と、回胴制御基板とを少なくとも構成の主要部として有する回胴式遊技機において、
前記回胴回転装置と前記停止ボタンとを備えた操作パネル部が、水平面状に設けられたことを特徴とする回胴式遊技機。
【請求項２】
前記操作パネル部に、張出部を設けたことを特徴とする請求項１記載の回胴式遊技機。
【請求項３】
前記回胴の図柄を表示する表示窓が、前記操作パネル部より上方向に対して角度をつけて設けられていることを特徴とする請求項１または２記載の回胴式遊技機。
【発明の詳細な説明】
【０００１】
【発明の属する技術分野】
本発明は、メダルを投入することにより、図柄を表示する複数の回胴を回転・停止させ、これら特定の図柄が組み合わされた場合にメダルを所定倍率で払い出しする回動式遊技機に関するものである。
【０００２】
【従来の技術】
従来の回胴式遊技機は、垂直面状に構成された遊技機の前面に開閉可能な前扉を備え、この前扉の上下方向の略中央に回胴回転装置、停止ボタン、メダル投入口、１回のゲームに使用する遊技メダルの枚数を選択する選択ボタン等を有する操作パネルが設けられ、その上側に回胴に描かれた図柄を観察するための表示窓が設けられている。
【０００３】
回胴式遊技機を遊技するにあたり、遊技者は以下のような動作をとる。まず、回胴式遊技機のメダル投入口にメダルを投入して、該遊技機における遊技の権利を獲得する。次に、操作パネル上のベットボタンにより、投入したメダルのベットを行う。その後、回胴回転装置を操作して回胴を回転させる。そして回転する回胴の図柄を注視してタイミングを計り、停止ボタンを操作して該回胴の回転を停止させる。その結果、所定の図柄組合せ（通常「役」と言う）が揃うと入賞となり、メダルの払い出しが行われる。
【０００４】
遊技の結果によって、あらかじめ遊技媒体貸出機より借り出したメダルを使用するか、入賞によって払出されたメダルまたは遊技機内部にクレジットとして電気的に処理されたメダルを使用するかの違いはあるものの、遊技者の遊技行為は、上記のように、メダルの投入、ベットボタンの操作、回胴回転装置の操作、停止ボタンの操作、等を延々と繰り返すものである。
【０００５】
回胴式遊技機において、入賞の発生は、遊技毎に回胴回転装置が操作された直後、遊技機内部の乱数による抽選処理によって決定される。遊技者の停止ボタン操作により、前記抽選処理によって決定された役と同じ図柄の組合せで回胴が停止された場合には入賞となるが、抽選でいずれの役にも当選しなかった場合、あるいは、当選していても役に対応する図柄を揃えることができなければ、投入したメダルを失うことになる。
【０００６】
入賞の発生が、遊技機内部の乱数による抽選処理という、確率に基づくものであるため、遊技者は単位時間内により多くの遊技回数をこなそうとする。そのためには、一回の遊技サイクルをできるだけ短時間に行う必要がある。かくして、遊技者はメダル投入、ベットボタン操作、回胴回転装置の操作、停止ボタンの操作、等をすばやく行うために、両手を遊技機の操作パネル上に添えた状態で遊技を繰り返し行うことが多い。
【０００７】
【発明が解決しようとする課題】
図４は従来の遊技機における遊技者の遊技状態を示す図である。
上記したように、遊技者は一回の遊技サイクルをできるだけ短時間に行うために、両手を操作パネル上に添えた状態で遊技を繰り返す。現状の遊技機では、垂直面状に構成された遊技機の前扉の略中央部に、回胴回転装置、停止ボタンを備えた操作パネルが設けられ、メダル投入口、ベットボタンは前記操作パネルに隣接して設けられている。そのため、遊技者は自分の肩程度の高さにある操作パネル部に手を添え続けることになる。
【０００９】
同じ姿勢をとり続けると、首や肩、腰や背中の筋肉が疲労してくる。特に前記のように両腕を上げた状態が続くと、腕自身の重みを支えるために、肩の筋肉に相当な負担を与えることになる。そして、筋肉に乳酸などの疲労物質が溜まり、筋肉が硬くこわばって張りだす。前記のような筋肉の疲れは、筋肉のハリやコリだけでなく、筋肉痛や全身がだるいといった症状を引き起こすことになる。
【００１０】
また、遊技場ホールにおいて、ホール経営者及びスタッフを悩ませているものに、ゴト行為と呼ばれる不正行為がある。遊技機の制御基板に細工を施す大掛かりなものから、遊技機や遊技媒体貸出機から遊技媒体を抜き取るものまで、ゴト行為の手段は多岐に渡っているが、いずれにせよ、遊技機または遊技媒体貸出機に不正行為者がその体を密着させて行うものがほとんどである。
【００１１】
上記したように現状の回胴式遊技機は直立型であり、単体で設置されることは殆どない。一般的には、遊技に使用される遊技媒体を貸し出す遊技媒体貸出機を並設し、メダルの補給・回収装置等を備えた、通常「島」と呼ばれる構成で遊技場ホールに設置されている。前記島毎に遊技場ホールの空間を仕切っているため、離れた距離から遊技者の細かい動きまで確認することは困難なものとなっている。ホールスタッフが不審を感じて近づいた時には、疑わしい行為をやめ、通常の遊技に移っていることもある。
【００１２】
さらにまた、遊技場ホールにおいて頻繁に行われている台入れ換えの問題がある。遊技機の人気がホールの売上げに直接影響するため、人気機種は台数を増やし、人気のない機種は撤去する必要がある。また、遊技客へ新鮮さをアピールするために、集客を目的とした大規模な台入れ換えを行うこともある。
【００１３】
前記入れ換え時には、前記島に組み込まれた遊技機を取り外し、新しく導入する遊技機を設置することになる。その際には、重量約４０ｋｇにもなる遊技機を、島の所定位置へ上げ下ろす作業を必要とし、多大な労力を伴う。また、前述した補給・回収装置との接続・調整も必要であり、入替え作業の長時間化ならびに入替えコストの増大となっていた。
【００１４】
本発明は上記の課題を解決するためになされたものであり、その目的は、遊技が長時間に及ぶ場合においても、遊技客の肉体的な疲労を軽減できる回胴式遊技機を提供することにある。また、遊技機に密着して行われる不正行為を未然に防止することを目的とするものである。さらにまた、遊技機の入替え時における負担及びコストの低減を目的とするものである。
【００１５】
【課題を解決するための手段】
上記の課題を解決するため、本発明に係る回胴式遊技機は、図柄を表示する回胴と、該回胴を回転させる回胴回転装置と、前記回胴の回転を停止させる停止ボタンと、メダル投入口と、メダル払出機と、回胴制御基板とを少なくとも構成の主要部として有する回胴式遊技機において、
前記回胴回転装置と前記停止ボタンとを備えた操作パネル部が、水平面状に設けられたことを特徴とするものである。
【００１６】
また、本発明に係る回動式遊技機は、前記操作パネル部に、張出部を設けたことを特徴とするものである。さらにまた、本発明に係る回動式遊技機は、前記回胴の図柄を表示する表示窓が、前記操作パネル部より上方向に対して角度をつけて設けられていることを特徴とするものである。
【００１７】
【発明の実施の形態】
以下、本発明の実施の形態を、図面を参照して詳細に説明する。図１は、本発明の実施に係る回胴式遊技機の斜視図である。図２は、本発明の実施に係る回胴式遊技機の正面図（ａ）及び側面図（ｂ）である。図３は、本発明の実施に係る回胴式遊技機を遊技中の遊技者の状態を示す概略図である。
【００１８】
図１および図２に示すように、本発明に係る回胴式遊技機１は、図柄を表示する回胴２と、該回胴を回転させる回胴回転装置３と、前記回胴の回転を停止させる停止ボタン４と、メダル投入口５と、メダル払出機６と、回胴制御基板７と、払出制御基板８とを少なくとも構成の主要部として備え、前記回胴回転装置３と前記停止ボタン４とを備えた操作パネル部９が、水平面状に設けられている。
【００１９】
本実施例では、前記操作パネル部９に張出部１０を設けている。遊技機上部には、遊技機の名称や遊技内容等を記した装飾パネル部１１を備える。遊技時の利便性を考慮して、メダル払出口１２は前記操作パネル部９に隣接して設けられている。
【００２０】
本実施例においては、本発明に係る回胴式遊技機１に、遊技に使用される遊技媒体を貸出す遊技媒体貸出機２１を並設している。この遊技媒体貸出機２１は、本発明に係る回胴式遊技機１の側面と同じ側面形状を持ち、該回動式遊技機１と隙間なく並設することで、一体として見えるような構成をなすものである。
【００２１】
図３では、遊技者の遊技状態を示している。図に示すように、遊技者は肘を操作パネル部９及び張出部１０におろすことができるので、遊技が長時間に渡って続いても、従来のような肩凝りや腰の痛み、体のだるさ等から解放されることになる。
【００２２】
本実施例においては、回胴２の表示窓を、水平状態よりやや角度を設けた方式を採用しているが、実施に際して、操作パネル９と同じ水平にしてもよいし、従来の回胴式遊技機のように垂直にしてもかまわない。
【００２３】
装飾パネル部１１は、本実施例の他に、大型のスピーカを設けたり、液晶表示部を設けたりすることで、遊技の演出効果を高める構成としてもよい。また、逆に、装飾パネル部をなくして遊技機全体を低く抑え、遊技場ホールスタッフからの視認性を向上させ、不正行為を防止する効果を高めるものであってもよい。
【００２４】
本発明の実施に係る回胴式遊技機１では、遊技機そのものが島と呼べる外観を持ち、単独の島としての機能も併せ持っている。故に、機種変更の際には、図柄を表示する回胴２および回胴制御基板７、そして装飾パネル部１１のみを交換するだけでよく、労力及びコストを大幅に低減させることができる。
【発明の効果】
【００２５】
以上詳細に説明したように、本発明に係る回胴式遊技機によれば、操作パネル部を水平面状に構成し、張出部を設け、遊技者の腕を該パネル及び該張出部上に置いて遊技を行うことができるようにしたので、遊技が長時間に渡った場合でも、肉体に苦痛を覚えることなく、遊技を続行することができる。また、遊技機の高さを抑えることによって、遊技場に設置した際に見通しがよくなり、不正行為を未然に防ぐことができる。また、機種変更時には、図柄を表示する回胴及び該回胴を回転させる回転回胴装置、回胴制御基板、そして装飾パネル部のみを交換するだけでよく、手間及びコストを大幅に低減させることができる。さらにまた、従来の回胴式遊技機とは大きく異なる外観を持った遊技機を提供することにより、遊技者の興趣を高めることができる。
【図面の簡単な説明】
【図１】本発明の実施に係る回胴式遊技機の斜視図である。
【図２】本発明の実施に係る回胴式遊技機の正面図（ａ）及び側面図（ｂ）である。
【図３】本発明の実施に係る回胴式遊技機の遊技状態を示す概略図である。
【図４】従来の遊技機の遊技状態を示す概略図である。
【符号の説明】
１…回胴式遊技機、２…回胴、３…回胴回転装置、４…停止ボタン、５…メダル投入口、６…メダル払出機、７…回胴制御基板、８…払出制御基板、９…操作パネル部、１０…張出部、１１…装飾パネル部、１２…メダル払出口、２１…遊技媒体貸出機
【図１】
2004065896.tif 000003
【図２】
2004065896.tif 000004
【図３】
2004065896.tif 000005
【図４】
2004065896.tif 000006